(57)【要約】【課題】より簡単な構成で隣接する部屋の圧力、温度、湿度をコントロールする。【解決手段】第１の部屋に設けられ気圧，温度，湿度のうちから選択される少なくとも１の計測値を取得する第１のセンサと、前記第１の部屋に隣接する第２の部屋に設けられ前記第１のセンサと同じ種別の計測値を取得する第２のセンサと、前記第１の部屋と前記第２の部屋との境界に配置されるＲＦファンと、前記ＲＦファンの回転速度と回転方向とを制御する制御部と、を有し、前記制御部は、前記第１のセンサと前記第２のセンサとの前記計測値が同じになるように前記ＲＦファンの回転速度と回転方向とを制御することを特徴とするファン制御装置。【選択図】図１
2020020523.tif 000002
【特許請求の範囲】
【請求項１】
第１の部屋に設けられ気圧，温度，湿度のうちから選択される少なくとも１の計測値を取得する第１のセンサと、
前記第１の部屋に隣接する第２の部屋に設けられ前記第１のセンサと同じ種別の計測値を取得する第２のセンサと、
前記第１の部屋と前記第２の部屋との境界に配置されるＲＦファンと、
前記ＲＦファンの回転速度と回転方向とを制御する制御部と、を有し、
前記制御部は、前記第１のセンサと前記第２のセンサとの前記計測値が同じになるように前記ＲＦファンの回転速度と回転方向とを制御することを特徴とするファン制御装置。
【請求項２】
第１の部屋に設けられ気圧，温度，湿度のうちから選択される少なくとも１の計測値を取得する第１のセンサと、
前記第１の部屋に隣接する第２の部屋に設けられ前記第１のセンサと同じ種別の計測値を取得する第２のセンサと、
前記第１の部屋と前記第２の部屋との外側の室外において前記第１のセンサと同じ種別の計測値を取得する第３のセンサと、
前記第１の部屋と前記室外との境界に配置される第１のＲＦファンと、
前記第２の部屋と前記室外との境界に配置される第２のＲＦファンと、
前記第１及び第２のＲＦファンの回転速度と回転方向とを制御する制御部と、を有し、
前記制御部は、
前記第１のセンサと前記第３のセンサとの前記計測値が同じになるように前記第１のＲＦファンの回転速度と回転方向とを制御するとともに、
前記第２のセンサと前記第３のセンサとの前記計測値が同じになるように前記第２のＲＦファンの回転速度と回転方向とを制御することを特徴とするファン制御装置。
【請求項３】
第１の部屋に設けられ気圧，温度，湿度のうちから選択される少なくとも１の計測値を取得する第１のセンサと、
前記第１の部屋に隣接する第２の部屋に設けられ前記第１のセンサと同じ種別の計測値を取得する第２のセンサと、
前記第１の部屋と前記第２の部屋との境界に配置されるＲＦファンと、
前記ＲＦファンの回転速度と回転方向とを制御する制御部と、を有し、
前記制御部は、前記第１のセンサと前記第２のセンサとの前記計測値が所定の差を有するように前記ＲＦファンの回転速度と回転方向とを制御することを特徴とするファン制御装置。
【請求項４】
第１の部屋に設けられ気圧，温度，湿度のうちから選択される少なくとも１の計測値を取得する第１のセンサと、
前記第１の部屋に隣接する第２の部屋に設けられ前記第１のセンサと同じ種別の計測値を取得する第２のセンサと、
前記第２の部屋に隣接する第３の部屋に設けられ前記第１及び第２のセンサと同じ種別の計測値を取得する第３のセンサと、
前記第１の部屋とその外側の室外との境界に配置される第１のＲＦファンと、
前記第２の部屋とその外側の室外との境界に配置される第２のＲＦファンと、
前記第３の部屋とその外側の室外との境界に配置される第３のＲＦファンと、
前記第１，第２及び第３のＲＦファンの回転速度と回転方向とを制御する制御部と、を有し、
前記制御部は、
前記第１のセンサ、前記第２のセンサ、前記第３のセンサの少なくともいずれか１の前記計測値が所定の値になるように前記第１のＲＦファンと前記第２のＲＦファンと前記第３のＲＦファンの回転速度と回転方向とを制御することを特徴とするファン制御装置。
【請求項５】
第１の部屋に設けられ気圧，温度，湿度のうちから選択される少なくとも１の計測値を取得する第１のセンサと、前記第１の部屋に隣接する第２の部屋に設けられ前記第１のセンサと同じ種別の計測値を取得する第２のセンサと、前記第１の部屋と前記第２の部屋との境界に配置されるＲＦファンと、を備えたファン制御装置におけるファン制御方法であって、
前記ＲＦファンの回転速度と回転方向とを制御する制御ステップを有し、
前記制御ステップは、前記第１のセンサと前記第２のセンサとの前記計測値が同じになるように前記ＲＦファンの回転速度と回転方向とを制御するステップを有することを特徴とするファン制御方法。
【請求項６】
第１の部屋に設けられ気圧，温度，湿度のうちから選択される少なくとも１の計測値を取得する第１のセンサと、前記第１の部屋に隣接する第２の部屋に設けられ前記第１のセンサと同じ種別の計測値を取得する第２のセンサと、前記第１の部屋と前記第２の部屋との外側の室外において、前記第１のセンサと同じ種別の計測値を取得する第３のセンサと、前記第１の部屋と前記室外との境界に配置される第１のＲＦファンと、前記第２の部屋と前記室外との境界に配置される第２のＲＦファンと、を備えたファン制御装置におけるファン制御方法であって、
前記第１及び第２のＲＦファンの回転速度と回転方向とを制御する制御ステップを有し、
前記制御ステップは、
前記第１のセンサと前記第３のセンサとの前記計測値が同じになるように前記第１のＲＦファンの回転速度と回転方向とを制御するとともに、前記第２のセンサと前記第３のセンサとの前記計測値が同じになるように前記第２のＲＦファンの回転速度と回転方向とを制御することを特徴とするファン制御方法。
【請求項７】
第１の部屋に設けられ気圧，温度，湿度のうちから選択される少なくとも１の計測値を取得する第１のセンサと、前記第１の部屋に隣接する第２の部屋に設けられ前記第１のセンサと同じ種別の計測値を取得する第２のセンサと、前記第１の部屋と前記第２の部屋との境界に配置されるＲＦファンと、を備えたファン制御装置におけるファン制御方法であって、
前記ＲＦファンの回転速度と回転方向とを制御する制御ステップを有し、
前記制御ステップは、前記第１のセンサと前記第２のセンサとの前記計測値が所定の差を有するように前記ＲＦファンの回転速度と回転方向とを制御することを特徴とするファン制御方法。
【請求項８】
第１の部屋に設けられ気圧，温度，湿度のうちから選択される少なくとも１の計測値を取得する第１のセンサと、前記第１の部屋に隣接する第２の部屋に設けられ前記第１のセンサと同じ種別の計測値を取得する第２のセンサと、前記第２の部屋に隣接する第３の部屋に設けられ前記第１及び第２のセンサと同じ種別の計測値を取得する第３のセンサと、
前記第１の部屋とその外側の室外との境界に配置される第１のＲＦファンと、前記第２の部屋とその外側の室外との境界に配置される第２のＲＦファンと、前記第３の部屋とその外側の室外との境界に配置される第３のＲＦファンと、を備えたファン制御装置におけるファン制御方法であって、
前記第１，第２及び第３のＲＦファンの回転速度と回転方向とを制御する制御ステップを有し、
前記制御ステップは、
前記第１のセンサ、前記第２のセンサ、前記第３のセンサの少なくともいずれか１の前記計測値が所定の値になるように前記第１のＲＦファンと前記第２のＲＦファンと前記第３のＲＦファンの回転速度と回転方向とを制御することを特徴とするファン制御方法。
【発明の詳細な説明】
【技術分野】
【０００１】
本発明は、ファン制御技術に関し、より詳細には、センサを利用したＲＦファンの自動制御技術に関する。
【背景技術】
【０００２】
ファンを利用した冷却技術は良く知られている（例えば、特許文献１参照）。
【先行技術文献】
【特許文献】
【０００３】
【特許文献１】特開２０１２−２２２０４８号公報
【発明の概要】
【発明が解決しようとする課題】
【０００４】
図１５は標準的なファン（スタンダードファン）を用いたファン制御装置の一構成例を示す図である。
図１５に示すように、部屋Ａ、部屋Ｂなどのように部屋が隣接して複数ある場合に、標準的なファンにより部屋Ａと部屋Ｂとの気圧や温度等を等しくなるように調節するには、部屋Ａ，Ｂ間に空気の吸込用と吐出用の２台のファン１０３ａ，１０３ｂを配置することが必要となる。
すなわち、図１５に示すシステムＺのように、コントローラ１０１からファン１０３ａへの制御信号ＳＧ１０１とファン１０３ｂへの制御信号ＳＧ１０２とにより、ファン１０３ａ、１０３ｂを交互に駆動させ、それぞれの部屋の圧力や温度を均一にすることができる。
【０００５】
しかしながら、上記の構成においては、部屋の状態を検出するセンサとファンとを連動させなければ、部屋の圧力、温度、湿度等をコントロールすることはできない。
本発明は、より簡単な構成で隣接する部屋の圧力、温度、湿度をコントロールすることを目的とする。
【課題を解決するための手段】
【０００６】
本発明の一観点によれば、第１の部屋に設けられ気圧，温度，湿度のうちから選択される少なくとも１の計測値を取得する第１のセンサと、前記第１の部屋に隣接する第２の部屋に設けられ前記第１のセンサと同じ種別の計測値を取得する第２のセンサと、前記第１の部屋と前記第２の部屋との境界に配置されるＲＦファンと、前記ＲＦファンの回転速度と回転方向とを制御する制御部と、を有し、前記制御部は、前記第１のセンサと前記第２のセンサとの前記計測値が同じになるように前記ＲＦファンの回転速度と回転方向とを制御することを特徴とするファン制御装置が提供される。
【０００７】
また、本発明は、第１の部屋に設けられ気圧，温度，湿度のうちから選択される少なくとも１の計測値を取得する第１のセンサと、前記第１の部屋に隣接する第２の部屋に設けられ前記第１のセンサと同じ種別の計測値を取得する第２のセンサと、前記第１の部屋と前記第２の部屋との外側の室外において、前記第１のセンサと同じ種別の計測値を取得する第３のセンサと、前記第１の部屋と前記室外との境界に配置される第１のＲＦファンと、前記第２の部屋と前記室外との境界に配置される第２のＲＦファンと、前記第１及び第２のＲＦファンの回転速度と回転方向とを制御する制御部と、を有し、前記制御部は、前記第１のセンサと前記第３のセンサとの前記計測値が同じになるように前記第１のＲＦファンの回転速度と回転方向とを制御するとともに、前記第２のセンサと前記第３のセンサとの前記計測値が同じになるように前記第２のＲＦファンの回転速度と回転方向とを制御することを特徴とするファン制御装置である。
【０００８】
本発明は、第１の部屋に設けられ気圧，温度，湿度のうちから選択される少なくとも１の計測値を取得する第１のセンサと、前記第１の部屋に隣接する第２の部屋に設けられ前記第１のセンサと同じ種別の計測値を取得する第２のセンサと、前記第１の部屋と前記第２の部屋との境界に配置されるＲＦファンと、を備えたファン制御装置におけるファン制御方法であって、前記ＲＦファンの回転速度と回転方向とを制御する制御ステップを有し、前記制御ステップは、前記第１のセンサと前記第２のセンサとの前記計測値が同じになるように前記ＲＦファンの回転速度と回転方向とを制御するステップを有することを特徴とするファン制御方法である。
【０００９】
また、本発明は、第１の部屋に設けられ気圧，温度，湿度のうちから選択される少なくとも１の計測値を取得する第１のセンサと、前記第１の部屋に隣接する第２の部屋に設けられ前記第１のセンサと同じ種別の計測値を取得する第２のセンサと、前記第１の部屋と前記第２の部屋との外側の室外において、前記第１のセンサと同じ種別の計測値を取得する第３のセンサと、前記第１の部屋と前記室外との境界に配置される第１のＲＦファンと、前記第２の部屋と前記室外の境界に配置される第２のＲＦファンと、を備えたファン制御装置におけるファン制御方法であって、前記第１及び第２のＲＦファンの回転速度と回転方向とを制御する制御ステップを有し、前記制御ステップは、前記第１のセンサと前記第３のセンサとの前記計測値が同じになるように前記第１のＲＦファンの回転速度と回転方向とを制御するとともに、前記第２のセンサと前記第３のセンサとの前記計測値が同じになるように前記第２のＲＦファンの回転速度と回転方向とを制御することを特徴とするファン制御方法である。
【００１０】
上記の技術を、隣接する部屋の計測値の差が所定の値になるように制御させても良いし、隣接する３以上の部屋のそれぞれの境界に設けたそれぞれのＲＦファンを含む場合に、各部屋の計測値を所定の設定値に制御するようにしても良い。
【発明の効果】
【００１１】
本発明によれば、簡単な構成で隣接する部屋の圧力、温度、湿度をコントロールすることができる。
【図面の簡単な説明】
【００１２】
【図１】本発明の第１の実施の形態によるファン制御装置の一構成例を示す図である。
【図２】ファン制御におけるＲＦファンの正逆の回転速度の時間変化の一例を示す図である。
【図３】部屋Ａに配置された圧力センサＡと部屋Ｂに配置された圧力センサＢにより測定した気圧（ｈＰａ）の時間変化を示す図である。
【図４】本実施の形態におけるコントローラによるＲＦファンの制御の流れを示すフローチャート図である。
【図５】本発明の第２の実施の形態によるファン制御装置の一構成例を示す図である。
【図６】ファン制御における部屋Ａに配置された圧力センサＡと部屋Ｂに配置された圧力センサＢとの気圧（ｈＰａ）の時間変化を示す図である。
【図７】本実施の形態におけるコントローラによるＲＦファンの制御の流れを示すフローチャート図である。
【図８】本発明の第３の実施の形態によるファン制御装置の一構成例を示す図である。
【図９】ＲＦファンの正逆の回転速度の時間変化の一例を示す図である。
【図１０】部屋Ａに配置された圧力センサＡと部屋Ｂに配置された圧力センサＢとの気圧（ｈＰａ）の時間経過を示す図である。
【図１１】本実施の形態におけるコントローラによるＲＦファンの制御の流れを示すフローチャート図である。
【図１２】本発明の第４の実施の形態によるファン制御装置の一構成例を示す図である。
【図１３】部屋Ａ〜Ｃにそれぞれ配置された圧力センサＡ〜Ｃの気圧（ｈＰａ）の時間経過を示す図である。
【図１４】本実施の形態におけるコントローラによるＲＦファンの制御の流れを示すフローチャート図である。
【図１５】標準的なファンを用いたファン制御装置の一構成例を示す図である。
【発明を実施するための形態】
【００１３】
リバーシブルフロー（ＲＦ）ファンとは、１台のファンで風向を切り替えられるファンのことを指す（以下、ＲＦファンと称する）。
ＲＦファンは吸込用と吐出用ファンの両方の役割を果たすため１台で部屋の気圧、温度、湿度の調節が可能である。以下に説明するように、複数のセンサとＲＦファンを使用し制御することで、様々な自動制御が可能となる。
【００１４】
（第１の実施の形態）
まず、本発明の第１の実施の形態について、図面を参照しながら詳細に説明する。
図１は、本実施の形態によるファン制御装置の一構成例を示す図である。
図１に示すように、本実施の形態によるファン制御装置Ｘは、例えば部屋Ａなどの第１の部屋と、それと隣接する部屋Ｂなどの第２の部屋とが設けられ、部屋Ａと部屋Ｂとの間（境界）に配置されているＲＦファン３を制御する。ＲＦファン３によれば、部屋Ａ側（ＡＲ１）と部屋Ｂ側（ＡＲ２）とに切り換えて気流の方向を切り換えることができる。そして、部屋Ａと部屋Ｂとには、それぞれ、圧力センサＡ５と圧力センサＢ７とが配置され、それぞれの圧力センサにより取得された圧力計測値がコントローラ１に入力される。また、コントローラ１とＲＦファン３との間には、ＲＦファン制御信号ＳＧ１と、ＲＦファン回転信号ＳＧ２とがやり取りされる。そして、この例では、圧力センサＡ５で部屋Ａの気圧を測定し、圧力センサＢ７で部屋Ｂの気圧を測定し２部屋の気圧が同じになるようにＲＦファン３を自動制御する。
【００１５】
図２は、ＲＦファンの正逆の回転速度の時間変化の一例を示す図である。図２に示すように、部屋Ａと部屋Ｂとの気圧に差が生じても、同じ気圧になるようにＲＦファン３の回転速度と回転方向とが調整される様子が示されている。ＲＦファン３の回転方向は、回転速度＝０を境に逆転する。
【００１６】
図３は、部屋Ａに配置された圧力センサＡ５と部屋Ｂに配置された圧力センサＢ７との気圧（ｈＰａ）の時間変化を示す図である。図３に示すように、部屋Ａと部屋Ｂの気圧に差が生じても（例えば、Ｐ１、Ｐ３）、部屋Ａと部屋Ｂの気圧が同じになるよう（例えば、Ｐ２、Ｐ４）ＲＦファン３の回転速度が調整される。すなわち、コントローラ１は、部屋間の気圧に差が発生するとその差が小さくなるようにＲＦファン３の回転速度と回転方向とを制御する。
【００１７】
図４は、本実施の形態におけるコントローラ１によるＲＦファン３の制御の流れを示すフローチャート図である。
処理が開始され（Ｓｔａｒｔ）、ステップＳ１において、圧力センサＡ５で部屋Ａの気圧を測定し、圧力センサＢ７で部屋Ｂの気圧を測定する。
ステップＳ２において、圧力センサＡ５，Ｂ７の検出値に差があるか否かを判定する。圧力センサＡ５，Ｂ７の検出値に差が無い（例えば、あるしきい値よりも差が小さい）場合には（ＮＯ）、ステップＳ１に戻る。圧力センサＡ５，Ｂ７の検出値に差がある（例えば、あるしきい値よりも差が大きい）場合には（ＹＥＳ）、ステップＳ３に進み、圧力センサＢ７の検出値の方が圧力センサＡ５の検出値よりも大きいか否かを判定する。
【００１８】
ステップＳ３でＹＥＳの場合には、ステップＳ４に進み、ＲＦファン３の回転速度を、正方向（部屋Ｂから部屋Ａに気流が向かう方向）に徐々に上昇させる。
次いで、ステップＳ５に進み、圧力センサＡ５と圧力センサＢ７の検出値が同じとなるまで待つ。
圧力センサＡ５と圧力センサＢ７の検出値が同じになった場合には（ステップＳ５でＹＥＳ）、ステップＳ６に進み、停止またはＲＦファン３の正方向回転速度を維持する。ＲＦファン３が停止する場合もある。ステップＳ７で、圧力センサＡ５と圧力センサＢ７との検出値に差が生じているか否かを判定する。ステップＳ７においてＮＯの場合には、ステップＳ６に戻る。ステップＳ７においてＹＥＳの場合には、ステップＳ１に戻る。
一方、ステップＳ３において、ＮＯの場合には、ステップＳ８に進み、ＲＦファン３の回転方向を逆方向にして回転速度を徐々に上昇させる。
【００１９】
次いで、ステップＳ９に進み、圧力センサＡ５と圧力センサＢ７の検出値が同じとなるまで待つ。圧力センサＡ５と圧力センサＢ７の検出値が同じになると、ステップＳ１０に進み、停止またはＲＦファン３の逆方向回転速度を維持する。次いで、ステップＳ１１において、圧力センサＡ５と圧力センサＢ７との検出値に差が生じているか否かを判定する。ステップＳ１１において、Ｎｏの場合には、ステップＳ１０に戻り、ＹＥＳの場合には、ステップＳ１に戻る。
【００２０】
以上の処理により、図２，図３に示すように、ＲＦファン３を自動制御することで、２部屋Ａ，Ｂの気圧が同じになる状態を維持する。
尚、図１では、圧力センサによりセンシングを行う例を示したが、温度センサで温度を調整することもできるし、湿度センサで湿度を調整することも可能である。
すなわち、温度センサにより制御する場合には、２部屋の温度が同じになるように制御され、湿度センサにより制御する場合には、２部屋の湿度が同じになるように制御される。
【００２１】
（第２の実施の形態）
次に、本発明の第２の実施の形態について、図面を参照しながら詳細に説明する。
図５は、本実施の形態によるファン制御装置の一構成例を示す図である。
図５に示すように、本実施の形態によるファン制御装置Ｙは、例えば部屋Ａなどの第１の部屋と、それと隣接する部屋Ｂなどの第２の部屋と、屋外Ｄなどの室外とが設けられて空間を制御する。部屋Ａと屋外Ｄとの間には、第１のＲＦファン３ａが配置されている。第１のＲＦファンＡ３ａによれば、部屋Ａ側（ＡＲ３）と屋外Ｄ側（ＡＲ４）とに切り換えて気流を向けることができる。さらに、部屋Ｂと屋外Ｄとの間には、第２のＲＦファンＢ３ｂが配置されている。第２のＲＦファンＢ３ｂによれば、部屋Ｂ側（ＡＲ５）と屋外Ｄ側（ＡＲ６）とに切り換えて気流を向けることができる。
【００２２】
そして、部屋Ａと部屋Ｂと屋外Ｄ（部屋Ａ，Ｂの近傍）には、それぞれ、圧力センサＡ５と圧力センサＢ７と圧力センサＣ８とが配置され、それぞれの圧力計測値がコントローラ１に入力される。また、コントローラ１と第１及び第２のＲＦファンＡ３ａ，Ｂ３ｂとの間には、制御信号ＳＧ１と、回転信号ＳＧ２とが独立してやり取りされる。そして、圧力センサＡ５で部屋Ａの気圧を測定し、圧力センサＢ７で部屋Ｂの気圧を測定し、２部屋の気圧が屋外Ｄと同じになるようにＲＦファン３ａ，３ｂを自動制御する。
【００２３】
図６は、部屋Ａに配置された圧力センサＡ５と部屋Ｂに配置された圧力センサＢ７と屋外Ｄに配置された圧力センサＣ８の気圧（ｈＰａ）の時間経過を示す図である。図６に示すように、部屋Ａと部屋Ｂの気圧が、屋外Ｄの気圧と同じ気圧になるようＲＦファンＡ３ａ，Ｂ３ｂの回転速度が調整される。すなわち、気圧に差が発生するとそれが小さくなるようにＲＦファンＡ３ａ，Ｂ３ｂの回転速度と回転方向とを制御する。これにより、部屋Ａと部屋Ｂの気圧が、屋外Ｄの気圧を追従するように調節される。
【００２４】
図７は、本実施の形態におけるコントローラ１によるＲＦファン３の制御の流れを示すフローチャート図である。
処理が開始され（Ｓｔａｒｔ）、ステップＳ２１において、圧力センサＡ５で部屋Ａの気圧を測定し、圧力センサＢ７で部屋Ｂの気圧を、圧力センサＣ８で屋外Ｄの気圧を測定する。
【００２５】
ステップＳ２２において、圧力センサＡ５とＣ８，Ｂ７とＣ８の検出値に差があるか否かを判定する。圧力センサＡ５とＣ８，Ｂ７とＣ８の検出値に差が無い（あるしきい値よりも差が小さい）場合には（ＮＯ）、ステップＳ２１に戻る。圧力センサＡ５とＣ８，Ｂ７とＣ８の検出値に差がある（あるしきい値よりも差が大きい）場合には（ＹＥＳ）、ステップＳ２３に進み、圧力センサＣ８の検出値の方が圧力センサＡ５，Ｂ７の検出値よりも大きいか否かを判定する。
【００２６】
ステップＳ２３でＹＥＳの場合には、ステップＳ２４に進み、ＲＦファンＡ３ａ又はＢ３ｂのうち少なくともいずれか一方の回転速度を正方向（屋外Ｄから部屋Ａ，Ｂに気流が向かう方向）に徐々に上昇させる。
次いで、ステップＳ２５に進み、圧力センサＡ５とＣ８又は圧力センサＢ７とＣ８の検出値が同じとなるまで待つ。
【００２７】
圧力センサＡ５とＣ８又は圧力センサＢ７とＣ８の検出値が同じになった場合には（ステップＳ２５でＹＥＳ）、ステップＳ２６に進み、ＲＦファンＡ３ａ、Ｂ３ｂを停止または正方向回転速度を維持し、ステップＳ２７で、圧力センサＡ５と，Ｃ８又は圧力センサＢ７とＣ８の検出値に差が生じているか否かを判定する。ステップＳ２７においてＮＯの場合には、ステップＳ２６に戻る。ステップＳ２７においてＹＥＳの場合には、ステップＳ２１に戻る。
【００２８】
一方、ステップＳ２３において、ＮＯの場合には、ステップＳ２８に進み、ＲＦファンＡ３ａ又はＢ３ｂの少なくともいずれか一方の回転方向を逆方向にして回転速度を徐々に上昇させる。
【００２９】
次いで、ステップＳ２９に進み、圧力センサＡ５とＣ８又は圧力センサＢ７とＣ８の検出値が同じになるまで待つ。圧力センサＡ５とＣ８又は圧力センサＢ７とＣ８の検出値が同じになると（ステップＳ２９でＹＥＳ）、ステップＳ３０に進み、ＲＦファンＡ３ａ，Ｂ３ｂを停止または逆方向回転速度を維持する。次いで、ステップＳ３１において、圧力センサＡ５とＣ８又は圧力センサＢ７とＣ８の検出値に差が生じているか否かを判定する。ステップＳ３１において、Ｎｏの場合には、ステップＳ３０に戻り、ＹＥＳの場合には、ステップＳ２１に戻る。
【００３０】
以上の処理により、図５，図６に示すように、ＲＦファンＡ３ａ，Ｂ３ｂを自動制御することで、２部屋Ａ，Ｂと屋外Ｄの気圧が同じになる状態を維持する。
尚、図６では、圧力センサによりセンシングを行う例を示したが、温度センサで温度を測定して温度を調整することもできるし、湿度センサで湿度を測定して湿度を調整することも可能である。
【００３１】
例えば、温度センサにより制御する場合には、部屋の温度と屋外の気温とが同じになるように制御され、湿度センサにより制御する場合には、部屋の湿度と屋外の湿度が同じになるように制御される。  
【００３２】
（第３の実施の形態）
次に、本発明の第３の実施の形態について、図面を参照しながら詳細に説明する。
図８は、本実施の形態によるファン制御装置の一構成例を示す図である。
図８に示すように、本実施の形態によるファン制御装置Ｗは、基本的には、第１の実施の形態と同様の構成を有している。但し、本実施の形態では、圧力センサＡ５で部屋Ａの気圧を測定し、圧力センサＢ７で部屋Ｂの気圧を測定し、ＲＦファン３は、コントローラ１により２部屋に所定の気圧差を生じさせるように制御される。例えば、この例では、圧力センサＡ５の検出値が圧力センサＢ７の検出値よりも１０Ｐａだけ高くなるようにＲＦファンＡ３を自動制御する。
【００３３】
尚、図８に例示的に示すように、例えば、スマートフォンやパーソナルコンピュータなどの端末１１により、インターネット（ネットワーク）ＮＴ経由でコントローラ１の制御信号とセンサＡ５，Ｂ７のセンシング信号，ＲＦファン３の回転速度を見ながら遠隔制御できるようにしても良い。この構成は、第１から第４までのいずれの実施の形態にも適用可能である。
【００３４】
図９は、ＲＦファンの正逆の回転速度の時間変化の一例を示す図である。図９に示すように、部屋Ａと部屋Ｂとの気圧の差が例えば１０Ｐａになるように、ＲＦファン３の回転速度と回転方向とが調整される様子が示されている。
【００３５】
図１０は、部屋Ａに配置された圧力センサＡ５と部屋Ｂに配置された圧力センサＢ７との気圧（Ｐａ）の時間変化を示す図である。時間経過を見てみると、図１０に示すように、部屋Ａと部屋Ｂの気圧が同じである期間があり、次いで、部屋Ａと部屋Ｂとの気圧の差が、例えば１０ＰａになるようにＲＦファン３の回転速度が調整される。すなわち、部屋間の気圧に所定の差が発生するように、コントローラ１がＲＦファンＡ３の回転速度と回転方向を制御する。この際、図１０では、部屋Ａの気圧が高くなり、部屋Ｂの気圧が低くなるように制御されている。
【００３６】
図１１は、本実施の形態におけるコントローラ１によるＲＦファンＡ３の制御の流れを示すフローチャート図である。
処理が開始され（Ｓｔａｒｔ）、ステップＳ４１では、コントローラ１において、圧力センサＢ（部屋Ｂ）７に対する圧力センサＡ（部屋Ａ）５の気圧差の目標値を例えば＋１０Ｐａに設定する。
ステップＳ４２において、圧力センサＡ５で部屋Ａの気圧を測定し、圧力センサＢ７で部Ｂの気圧を測定する。
【００３７】
ステップＳ４３において、圧力センサＢ７の検出値の方が大きいか否かを判定する。
ＹＥＳの場合には、ステップＳ４４に進み、Ｎｏの場合には、ステップＳ４８に進む。
ステップＳ４４においては、ＲＦファンＡ３の回転速度を正方向に徐々に上昇させる。次いで、ステップＳ４５に進み、圧力センサＡ５の検出値が圧力センサＢ７の検出値より＋１０Ｐａになったか否かを判定する。
ステップＳ４５においてＹｅｓの場合には、ステップＳ４６に進み、ステップＳ４５においてＮｏの場合には、ステップＳ４４に戻る。
【００３８】
ステップＳ４６において、停止または正方向回転速度を維持し、ステップＳ４７において、圧力センサＡ５と圧力センサＢ７の検出値の差が＋１０Ｐａから変化したか否かを判定する。ここで、Ｙｅｓの場合には、ステップＳ４２に戻る。Ｎｏの場合には、ステップＳ４６に戻る。
【００３９】
一方、ステップＳ４８に進んだ場合には、ＲＦファンＡ３の回転速度を逆方向に徐々に上昇させる。そして、ステップＳ４９において、圧力センサＡ５の検出値が圧力センサＢ７の検出値より＋１０Ｐａになったか否かを判定する。ここで、Ｙｅｓの場合には、ステップＳ５０に進み、停止または逆方向回転速度を維持する。ここで、Ｎｏの場合には、ステップＳ４８に戻る。
ステップＳ５０から、ステップＳ５１に進み、圧力センサＡ５と圧力センサＢ７の検出値の差が＋１０Ｐａから変化したか否かを判定し続け、Ｙｅｓの場合には、ステップＳ４２に戻り、Ｎｏの場合には、ステップＳ５０に戻る。
【００４０】
以上の処理により、図９，図１０に示すように、ＲＦファンＡ３を自動制御することで、２部屋Ａ，Ｂの気圧が所定の圧力差を維持する状態を維持する。
尚、図８では、圧力センサによりセンシングを行う例を示したが、温度センサで温度を調整することもできるし、湿度センサで湿度を調整することも可能である。
すなわち、温度センサにより制御する場合には、２部屋の温度が所定の差になるように制御され、湿度センサにより制御する場合には、２部屋の湿度が所定の差になるように制御される。
【００４１】
（第４の実施の形態）
【００４２】
次に、本発明の第４の実施の形態について、図面を参照しながら詳細に説明する。
図１２は、本実施の形態によるファン制御装置の一構成例を示す図である。
図１２に示すように、本実施の形態によるファン制御装置Ｖは、基本的には、第３の実施の形態と同様の構成を有している。第２の実施の形態（図５等）との相違点は、部屋Ａ，部屋Ｂに加えて、部屋Ｃなど、３以上の部屋が直列的に配置され、部屋Ａと屋外Ｄとの間にＲＦファンＡ３ａが、部屋Ｂと屋外Ｄとの間にＲＦファンＢ３ｂが、部屋Ｃと屋外Ｄとの間にＲＦファンＣ３ｃが設けられている点である。
そして、コントローラ１が、複数の部屋（部屋Ａ，Ｂ，Ｃ，…）の気圧（又は温度、湿度）が部屋毎の目標値になるようＲＦファンを自動調節する。
【００４３】
図１３は、部屋Ａ〜Ｃにそれぞれ配置された圧力センサＡ〜Ｃの気圧（ｈＰａ）の時間経過を示す図である。図１３に示すように、部屋Ａと部屋Ｂと部屋Ｃの気圧が所定の目標値になるように、ＲＦファン３ａ，３ｂ，３ｃの回転速度と回転方向とが調整される様子が示されている。図１３では、部屋Ｂのみの目標値を変更し、部屋Ａ，Ｃの気圧は変化しないように設定した例を示す。図１３に示すように、ＲＦファンが駆動することにより、部屋Ａ，Ｃの気圧は変化しないが、部屋Ｂの気圧のみが変化する様子が示されている。
【００４４】
図１４は、本実施の形態におけるコントローラ１によるＲＦファンＡ３ａ，Ｂ３ｂ，Ｃ３ｃの制御の流れを示すフローチャート図である。以下のフローチャートに示す処理により、部屋単位で気圧を調節する。ここでは、部屋Ａ，Ｃは、気圧が時間変化せず、部屋Ｂについて気圧を目標値になるように制御する場合を例にして説明する。
処理が開始され（Ｓｔａｒｔ）、ステップＳ６１において、気圧目標値を設定し、ステップＳ６２において圧力センサで部屋の気圧を測定する。すなわち、コントローラ１により、圧力センサＢ（部屋Ｂ）７を用いて部屋Ｂの気圧を測定する。
【００４５】
ステップＳ６３において、圧力センサＢ７の検出値が目標値より小さいかどうかを判定する。Ｙｅｓの場合には、ステップＳ６４に、Ｎｏの場合にはステップＳ６８に進む。
ステップＳ６４においては、ＲＦファンＢ３ｂの回転速度を正方向に徐々に上昇させる。
【００４６】
ステップＳ６５において、圧力センサＢ７の検出値が目標値と同じとなったか否かを判定する。Ｙｅｓの場合には、ステップＳ６６に進み、Ｎｏの場合には、ステップＳ６４に進む。
【００４７】
ステップＳ６６においては、ＲＦファンＢ３ｂを停止または正方向回転速度を維持する。ステップＳ６７において、気圧目標値が変更されたか否かを判定し、Ｙｅｓの場合には、ステップＳ６２に戻る。Ｎｏの場合には、ステップＳ６６に戻る。
【００４８】
ステップＳ６８においては、ＲＦファンＢ３ｂの回転速度を逆方向に徐々に上昇させる。次いで、ステップＳ６９において、圧力センサ検出値が目標値と同じとなったか否かを判定する。
Ｙｅｓの場合には、ステップＳ７０に進み、Ｎｏの場合には、ステップＳ６８に戻る。ステップＳ７０においては、ＲＦファンＢ３ｂを停止または逆方向回転速度を維持する。気圧目標値が変更されたか否かを判定し、Ｙｅｓの場合には、ステップＳ６２に戻り、Ｎｏの場合には、ステップＳ７０に戻る。
【００４９】
以上の処理により、図１２，図１３に示すように、ＲＦファン３ａ，３ｂ，３ｃを自動制御することで、部屋Ｂの気圧が所定の設定値になる状態を維持する。部屋毎に異なる気圧に設定する場合には、図１４の処理を、各部屋毎に行えば良い。
尚、図１４では、圧力センサによりセンシングを行う例を示したが、温度センサで温度を調整することもできるし、湿度センサで湿度を調整することも可能である。
すなわち、温度センサにより制御する場合には、３部屋の温度が所定の値になるように制御され、湿度センサにより制御する場合には、３部屋の湿度が所定の値になるように制御される。
【００５０】
上記の実施の形態において、図示されている構成等については、これらに限定されるものではなく、本発明の効果を発揮する範囲内で適宜変更することが可能である。その他、本発明の目的の範囲を逸脱しない限りにおいて適宜変更して実施することが可能である。
また、本発明の各構成要素は、任意に取捨選択することができ、取捨選択した構成を具備する発明も本発明に含まれるものである。
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【産業上の利用可能性】
【００５１】
本発明は、ファン制御装置に利用可能である。
【符号の説明】
【００５２】
Ａ，Ｂ，Ｃ  部屋
Ｄ  屋外（室外）
Ｖ，Ｗ，Ｘ，Ｙ，Ｚ  ファン制御装置
１  コントローラ（制御部）
３  ＲＦファン
５  圧力センサＡ
７  圧力センサＢ
８  圧力センサＣ
【図１】
2020020523.tif 000003
【図２】
2020020523.tif 000004
【図３】
2020020523.tif 000005
【図４】
2020020523.tif 000006
【図５】
2020020523.tif 000007
【図６】
2020020523.tif 000008
【図７】
2020020523.tif 000009
【図８】
2020020523.tif 000010
【図９】
2020020523.tif 000011
【図１０】
2020020523.tif 000012
【図１１】
2020020523.tif 000013
【図１２】
2020020523.tif 000014
【図１３】
2020020523.tif 000015
【図１４】
2020020523.tif 000016
【図１５】
2020020523.tif 000017